(57)【要約】      （修正有）【課題】物品の収束部を結束するための面状結束バンドが多数個横並びに連結されて帯状になっている面状結束バンド連結体、及びこの連結体が実装される面状結束バンド結束装置を提供する。【解決手段】二つ折りにしたバンド状本体の一端部Ｂ１寄りの部位に少なくとも一つ係止突起３１，３２を設け、同じく他端部Ｂ２寄りの部位に係止突起３１，３２と嵌合する係止孔４１，４２をそれぞれ設けた面状結束バンド１０を構成し、さらにその面状結束バンド１０の多数個を横並びに連結して帯状の面状結束バンド連結体５０とする。この帯状の面状結束バンド連結体５０を渦巻き状に巻き取ってリールにして結束装置に実装するとともに、先端にある面状結束バンド１０に被結束物の収束部を巻回して係止突起３１，３２を係止孔４１，４２に挿入することにより被結束物の結束を行う。【選択図】図９
0003197527.tif 000002
【実用新案登録請求の範囲】
【請求項１】
二つ折りにした合成樹脂製のバンド状本体（Ｂ）によって被結束物（２０）の収束部（２１）を結束する結束バンドの連結体であって、
前記結束バンドは、前記バンド状本体（Ｂ）の一端部（Ｂ１１）寄りの部位に少なくとも一つ設けられる係止突起（３１）と、前記バンド状本体（Ｂ）の他端部（Ｂ２２）寄りの部位に前記係止突起（３１）が挿入係止される挿入孔（４１）とを備える面状結束バンド（１０）であり、
前記連結体は、多数個の前記面状結束バンド（１０）がハーフカットによる分離溝（５１）を介して横並びに帯状に連結されてなることを特徴とする面状結束バンド連結体（５０）。
【請求項２】
請求項１記載の面状結束バンド連結体（５０）が実装されることにより、被結束物（２０）の収束部（２１）を結束する結束装置であって、
基盤部（６２）と、
この基盤部（６２）の上に延びるリールアーム（６１）と、
前記基盤部（６２）に前記リールアーム（６１）と対称的に斜め上方位置に設置される結束部（６３）と、
前記面状結束バンド連結体（５０）が前記面状結束バンド（１０）の横並び方向に巻き取られてなるリール（５２）と、を備え、
前記リールアーム（６１）に懸架された前記リール（５２）から、前記面状結束バンド連結体（５０）が繰り出されて前記結束部（６３）の所定位置に移送されるように構成されており、
前記結束部（６３）は、
前記基盤部（６２）の上に所定間隔を保って立てられた一対の支持板（６４ａ，６４ｂ）と、
これらの支持板（６４ａ，６４ｂ）の間で斜め上下方向に滑動する滑動板（６５）と、
前記滑動板６５の上端部に設けられる、被結束物（２０）の収束部（２１）を挿入可能な平面Ｙ字形の案内隙間（６６）と、
前記支持板（６４ａ，６４ｂ）の間に前記滑動板（６５）と所定間隔の空間を介して設けられる底板と、
前記滑動板（６５）と前記底板との間の空間に設けられる結束駆動機構と、を備え、
前記結束部（６３）に前記面状結束バンド連結体（５０）が実装されるとき、前記リール（５２）から繰り出される前記面状結束バンド連結体（５０）が、前記滑動板（６５）の板上を通過する移送ルート（Ｒ）を通して前記結束部（６３）に供給されるとともに、この面状結束バンド連結体（５０）の最先端にある面状結束バンド（１０）が前記結束駆動機構の先端部に載置されるように構成され、
被結束物（２０）の収束部（２１）の結束時には、被結束物（２０）の収束部（２１）が案内隙間（６６）に挿入されるのに伴って、前記滑動板（６５）が所定距離だけ降下し、前記面状結束バンド連結体（５０）の最先端にある面状結束バンド（１０）が１個、前記分離溝（５１）に沿って引き離される一方、前記結束駆動機構の作動に伴って、引き離された前記面状結束バンド（１０）が前記収束部（２１）を結束するように構成されており、
加えて、同被結束物（２０）の結束の終了後に、前記滑動板（６５）が斜め上に向かって上昇するのに伴って、前記結束駆動機構が前記面状結束バンド連結体（５０）をワンストローク進行させることにより、新たに最先端になる面状結束バンド（１０）が前記結束駆動機構の先端部に載置されるように構成されたことを特徴とする、面状結束バンド結束装置。
【考案の詳細な説明】
【技術分野】
【０００１】
この考案は、食品を容れた包装袋、束ねられた草花の包み又は工業用部品の束若しくはその他包装されようとする物品（以下、「被結束物」という。）の収束部を結束するための面状結束バンドに関し、詳しくは、面状結束バンドが多数個横並びに連結されて帯状になっている面状結束バンド連結体、及びこの連結体が実装される面状結束バンド結束装置に関するものである。
【背景技術】
【０００２】
従来から、図１２に示すように、面状の結束バンド１を二つ折りにして、それにより被結束物２の収束部３を挟んでから、一端部１ａ寄りの部位に設けた係止突起４を、同じく他端部１ｂ寄りの部位に設けた係止孔５に挿入することにより、被結束物２を結束する技術は公知である（特許文献１）。
【０００３】
前記係止孔５は、係止突起４の外径より幾分小さい短径を有する長穴状乃至は楕円状をなしているとともに、前記係止突起４は、先端が半球面をなす円筒状をなし、その付け根部分は、前記係止孔５の短径をなす周縁部が挿入される係止溝を有している。そのため、一旦、被結束物２を結束した結束バンド１においては、係止突起４と係止孔５との係合が確実になされ、容易に両者を解除できないという優れた効果を発揮する。
【先行技術文献】
【特許文献】
【０００４】
【特許文献１】特開２００９−９６５５０号公報
【考案の概要】
【考案が解決しようとする課題】
【０００５】
しかしながら、上記構造及び形状を備えた結束バンド１を結束装置に導いて被結束物２を結束しようとすると、次のような問題がある。すなわち、一旦、被結束物２を結束した後、係止突起４と係止孔５との係合を強制的に解いて、被結束物２の内容物を改ざんしてから、例えば、被結束物２が袋であれば、袋の中から包装されている内容物を抜き取ったり、内容物に他の内容物を加えたりしてから、再度、係止突起４と係止孔５とを係合させた場合、被結束物２の内容物が改ざんされたという事実を被結束物２の所有者が感知できないという問題がある。
次に、前記構造の結束バンドを結束装置に実装し、その装置から結束バンドを１個ずつ結束装置の結束領域に供給するとき、結束バンド１をどのような状態にして結束装置に供給するかという問題がある。
【０００６】
そこで、本考案者は、上記二つの問題を解消できる結束バンドの構造について、鋭意、検討した結果、前記結束バンドにもう一対の係止突起と係止孔を設けるとともに、その結束バンドを横並びに連結し帯状の連結体にすればよいという事実を見出し、本考案を完成した。従って、本考案の課題は、被結束物の内容物が改ざんされたか否かを視認可能な結束バンドを提供すること（第一の課題）と、結束装置に対して結束バンドを供給可能な構造にした結束バンド連結体を提供すること（第二の課題）にある。
【課題を解決するための手段】
【０００７】
前記の課題のうちの第一の課題を解決するために、第１考案による面状結束バンドは（１０）、二つ折りにしたバンド状本体（Ｂ）によって被結束物（２０）の収束部（２１）を挟んで結束する結束バンドにおいて、前記バンド状本体の両端部（Ｂ１１，Ｂ２２）寄りの部位に、一つの係止突起（３１）とその係止突起（３１）が挿入係止される挿入孔（４１）とをそれぞれ設けるという手段を採用する。そして前記面状結束バンド（１０）の内方寄りにある一対の前記係止突起（３１）と挿入孔（４１）にそれらの係合が解除されたことを発見できる視認部（４１ａ）を設けるという手段を採用する。
【０００８】
第二の課題を解決するために、第２考案による面状結束バンド連結体（５０）は、二つ折りにした合成樹脂製のバンド状本体（Ｂ）によって被結束物（２０）の収束部（２１）を結束する結束バンドの連結体であって、
前記結束バンドは、前記バンド状本体（Ｂ）の一端部（Ｂ１１）寄りの部位に少なくとも一つ設けられる係止突起（３１）と、前記バンド状本体（Ｂ）の他端部（Ｂ２２）寄りの部位に前記係止突起（３１）が挿入係止される挿入孔（４１）とを備える面状結束バンド（１０）であり、
前記連結体は、多数個の前記面状結束バンド（１０）がハーフカットによる分離溝（５１）を介して横並びに帯状に連結されてなるという手段を採用する。
【０００９】
なお、この態様において、一端部寄りの部位に第一係止突起と第二係止孔を設け、同じく他端部寄りに前記第一係止突起が挿入係止される第一係止孔と前記第二係止孔に挿入される第二係止突起とを設けた面状結束バンドとし、これを面状結束バンド連結体にして渦巻状に巻回することにより結束装置に実装可能にしてもよい。
【００１０】
さらに、第３考案による面状結束バンド結束装置は、第２考案による面状結束バンド連結体（５０）が実装されることにより、被結束物（２０）の収束部（２１）を結束する結束装置であって、
基盤部（６２）と、
この基盤部（６２）の上に延びるリールアーム（６１）と、
前記基盤部（６２）に前記リールアーム（６１）と対称的に斜め上方位置に設置される結束部（６３）と、
前記面状結束バンド連結体（５０）が前記面状結束バンド（１０）の横並び方向に巻き取られてなるリール（５２）と、を備え、
前記リールアーム（６１）に懸架された前記リール（５２）から、前記面状結束バンド連結体（５０）が繰り出されて前記結束部（６３）の所定位置に移送されるように構成されており、
前記結束部（６３）は、
前記基盤部（６２）の上に所定間隔を保って立てられた一対の支持板（６４ａ，６４ｂ）と、
これらの支持板（６４ａ，６４ｂ）の間で斜め上下方向に滑動する滑動板（６５）と、
前記滑動板６５の上端部に設けられる、被結束物（２０）の収束部（２１）を挿入可能な平面Ｙ字形の案内隙間（６６）と、
前記支持板（６４ａ，６４ｂ）の間に前記滑動板（６５）と所定間隔の空間を介して設けられる底板と、
前記滑動板（６５）と前記底板との間の空間に設けられる結束駆動機構と、を備え、
前記結束部（６３）に前記面状結束バンド連結体（５０）が実装されるとき、前記リール（５２）から繰り出される前記面状結束バンド連結体（５０）が、前記滑動板（６５）の板上を通過する移送ルート（Ｒ）を通して前記結束部（６３）に供給されるとともに、この面状結束バンド連結体（５０）の最先端にある面状結束バンド（１０）が前記結束駆動機構の先端部に載置されるように構成され、
被結束物（２０）の収束部（２１）の結束時には、被結束物（２０）の収束部（２１）が案内隙間（６６）に挿入されるのに伴って、前記滑動板（６５）が所定距離だけ降下し、前記面状結束バンド連結体（５０）の最先端にある面状結束バンド（１０）が１個、前記分離溝（５１）に沿って引き離される一方、前記結束駆動機構の作動に伴って、引き離された前記面状結束バンド（１０）が前記収束部（２１）を結束するように構成されており、
加えて、同被結束物（２０）の結束の終了後に、前記滑動板（６５）が斜め上に向かって上昇するのに伴って、前記結束駆動機構が前記面状結束バンド連結体（５０）をワンストローク進行させることにより、新たに最先端になる面状結束バンド（１０）が前記結束駆動機構の先端部に載置されるように構成されるという手段を採用する。
【考案の効果】
【００１１】
第１考案の面状結束バンドによれば、被結束物の内容物が改ざんされたか否かを外部から視認可能な結束バンドを提供することができる。
第２考案の面状結束バンド連結体によれば、面状結束バンドを結束装置に対して供給可能なコンパクトな構造にすることができる。
第３考案の面状結束バンド結束装置によれば、面状結束バンド連結体を構成している横並びの面状結束バンドを、結束装置に対して一つずつ確実に供給することができるとともに、結束作業者が、横並びの面状結束バンドからなる結束バンド連結体を用いて被結束物の結束作業を繰り返し行うことができる。
【図面の簡単な説明】
【００１２】
【図１】本考案に係る面状結束バンドの斜視図である。
【図２】同平面図である。
【図３】前記結束バンドの係止突起の部分縦破断面図である。
【図４】係止突起の上面図である。
【図５】面状結束バンドにより被結束物を結束する場合において、面状結束バンドの二つ折にした状態を示す斜視図である。
【図６】被結束物を結束バンドで結束した状態を示す部分斜視図である。
【図７】第一係止突起が第一係止孔に係合した状態を示す部分破断斜視図である。
【図８】第一係止突起と第一係止孔とを係合させて、その係合を解いたとき第一係合突起が第一折半部から部分的に破断し、残り部分が第一折半部と分離することなく残留する状態を示す部分破断斜視図である。
【図９】面状結束バンドが多数個横並びに連結している状態を示す連結体の部分上面図である。
【図１０】本考案に係る結束バンドにより被結束物を結束するために使用される結束装置の斜視図である。
【図１１】同結束装置の一構成要素が作動した状態を示す結束装置の斜視図である。
【図１２】従来技術に係る結束バンドの使用態様を示す部分斜視図である。
【考案を実施するための形態】
【００１３】
次に図面を参照しながら、本考案を実施するための最良の形態を詳述する。図１及び図２に示すよう、本考案に係る面状結束バンド１０においてその要部であるバンド状本体Ｂは、幾分可撓性のある合成樹脂から製造された面状成形体であり、長さ方向の中央部Ｂ３にくびれ部１１を有している。そして、そのくびれ部１１を中心にして、バンド状本体Ｂは、ほぼ左右対称になる形状をなしているが、（図１及び図２の左側に記載する端部である）一端部（以下、第一端部という。）Ｂ１からは外方の幅狭の突出片１２が突出されている点において、（図１及び図２の右側に記載する端部である）他端部（以下、第二端部という。）Ｂ２の形状と相異している。以下、本考案では、バンド状本体Ｂのうち、第一端部Ｂ１が存在する折半部を第一折半部Ｂ１１と称し、第二端部Ｂ２が存在する折半部を第二折半部Ｂ２２と称する。
【００１４】
そして、前記バンド状本体Ｂの両端部Ｂ１、Ｂ２寄りの部位には、先端が半球面をなす短筒ドーム状の係止突起と、その係止突起が係止されるほぼ直方形の透孔である係止孔がそれぞれ設けられている。すなわち第一折半部Ｂ１１において第一端部Ｂ１寄りには第二係止孔４２と第一係止突起３１が設けられており、第二折半部Ｂ２２において第二端部Ｂ２寄りには第二係止突起３２と第一係止孔４１が設けられている。
【００１５】
しかしながら、第一折半部Ｂ１１において第二係止孔４２が第一係止突起３１より第一端部Ｂ１により近い部位に存在するのに対して、第二折半部Ｂ２２において第二係止突起３２が第一係止孔４１より第二端部Ｂ２により近い部位に存在するとともに、第一係止孔４１は矢印のような平面形状をもって透設されており、その矢先部４１ａがくびれ部１１の方を向いている点において第二係止孔４２の形状と相異している。
【００１６】
また、第一係止突起３１及び第二係止突起３２は、図３及び図４に示すように、バンド状本体Ｂの一折半部から一体的に立ち上がる短筒部１３とその先端に表面が半球面状のドーム部１４とから構成されている。そして、短筒部１３の側面においてバンド状本体Ｂの長手方向側には縦溝状のリブ１５が形成されているとともに、短筒部１３の付け根には前記方向を向く係止溝１６が設けられており、後述するように他の折半部に透設されている係止孔の内縁部１７に係止可能になっている。さらに、第一又は第二折半部のうちの一つの折半部の係止突起においてその短筒部の内面側には、後述する面状結束バンドの連結体を渦巻状に巻回されたとき、係止突起同士が上下に重なっても、そこに嵌合が生じないようにするために折半部に嵌合防止部１８が形成されている。
【００１７】
次に、前記面状結束バンドＢのくびれ部１１寄りの中央部Ｂ３は、前記突出片１２以外の部位より幾分幅狭に形成されており、その両縁側には被結束物に接触したとき、被結束物が滑るのを防止する三角片状の滑り防止部１９が形成されている。
【００１８】
このような形状・構造を有する面状結束バンド１０により被結束物を結束するには、図５に示すように、面状結束バンド１０の中央部Ｂ３に被結束物を押し付けて、又は前者に後者を押し付けて、まず、面状結束バンド１０をほぼ二つ折りにする。次いで、図６に示すように、第一係止突起３１を第一係止孔４１に強制的に押し付けると、面状結束バンド１０による被結束物２０の結束がひとまず完了する。なお、本考案において「二つ折りにする」とは、前記くびれ部１１を境界にして面状結束バンド１０を完全に二つの折るという意味に限定されるものではなく、前記中央部Ｂ３を被結束物の収束部に周りに巻回して少なくとも第一係止突起３１を第一係止孔４１に嵌め込むことができるようにするという意味に解釈しなければならない。
【００１９】
本考案に係る面状結束バンド１０においては、第一係止突起３１と第一係止孔４１により結束された被結束物２０の結束を解いて被結束物２０中の内容物を取り出したり、さらに他の内容物を追加充填したりした後に、再度、前記の結束をする場合、前記同様に第二係突起３２を第二係止孔４２に挿入する。
【００２０】
しかしながら、前記内容物の取り出しや他の内容物の追加充填が被結束物２０の所有者以外の者によって行われると、すなわち、第三者に内容物が改ざんされると、所有者にとって内容物が改ざんされていることに気が付かない。そこで、本考案に係る面状結束バンドにおいては、図７に示すように、第一係止突起３１と第一係止孔４１により被結束物２０の結束がされた後、第一、第二折半部Ｂ１１，Ｂ２２の両端部Ｂ１，Ｂ２を引き離して、その結束を解くと、第一係止突起３１が第一係止孔４１の矢先部４１ａに移動する。その状態で第一係止突起３１と第一係止孔４１との係合を強制的に外すと、第一係止突起３１の一部分は、第一係止孔４１の内端面部に係止されるが、他の部分は前記内端面部より間隔の広い矢先部４１ａをすり抜ける。その結果、図８に示すように、第一係止突起３１は、再度第一係止孔４１に係合不能な状態で第一折半部Ｂ１１にくっつく。従って、第一係止突起３１の外観を見すれば、第一係止突起３１と第一係止孔４１との係合が解かれて内容物が改ざんされた否かを見破ることができる。
【００２１】
このような形状・構造を有する面状結束バンド１０を結束装置に実装して被結束物を結束するには、多数個の面状結束バンド１０を渦巻状に巻き取ってリールにする必要がある。そこで本考案において、まず、図９に示すように多数個の面状結束バンド１０が横並びに連結して帯状になった面状結束バンド連結体５０を可撓性の合成樹脂から成形して製造する。この製造過程で面状結束バンド連結体５０から個々の面状結束バンド１０を比較的容易に分離できるように、面状結束バンド１０同士の境界付近にはハーフカットをした分離溝５１を形成しておく。そして、この面状結束バンド連結体５０を、図１０に示すように、渦巻状のリール５２にし、これを結束装置６０のリールアーム６１に支承させる。
【００２２】
本考案において、前記結束装置６０として、前記リールアーム６１及びそれから横並びにされた多数個の面状結束バンド１０からなる帯状の面状結束バンド連結体５０を繰り出して、その最先端にある面状結束バンド１０を一つずつ所定の位置に固定するとともに、固定された面状結束バンド１０の上方から被結束物２０の収束部２１を降下させることにより、その収束部２１を結束できる装置であれば、いかなる装置も使用可能である。
【００２３】
しかしながら、本考案においては、平らな基盤部６２の上に斜め上方に延びるリールアーム６１と、それと対称的に斜め上方位置に設置される結束部６３とからなる、側面がほぼＹ字形をなす結束装置６０が好適に使用される。
【００２４】
前記結束部６３は、基盤部６２の上に所定間隔をおいて平行に立てられた側面形状がほぼ三角形状の一対の支持板６４ａ，６４ｂと、それらの間において斜め上下方向に滑動する滑動板６５と、前記支持板６４ａ，６４ｂの間において前記滑動板６５と所定間隔をおいて形成される空間を介して宛がわれる底板乃至は底板と側板と、前記空間に実装される結束駆動機構（いずれも図示なし）とからなる。
【００２５】
前記滑動板６５の上端部には、被結束物２０の収束部２１を結束作業者が所定間隔をおいて両手に持って挿入可能なＹ字形の案内隙間６６が形成されている。リールアーム６１に懸架されたリール５２から面状結束バンド連結体５０を一点鎖線に示す移送ルートＲを通して、図１１に示すように面状結束バンド連結体５０の最先端にある面状結束バンド１０を結束駆動機構の先端部に供給・載置した状態にして、被結束物２０の収束部２１を結束作業者が両手に持って降下させると、面状結束バンド連結体５０から面状結束バンド１０が１個、引き離されるとともに、滑動板６５も所定の距離だけ降下する。この間に前記結束駆動機構が作動して、前記収束部２１が面状結束バンド１０により結束される。なお、図１１は、結束駆動機構の先端部に面状結束バンド１０が載置される状態を示すために、前記滑動板６５だけを手動で降下させた状態を示すものである。
【００２６】
このようにして被結束物２０の結束が終了すると、前記滑動板６５が斜め上に向かって上昇する。すると、それに伴って前記結束駆動機構が作動して、面状結束バンド連結体５０をワンストローク上昇又は進行させ、結束部６３に面状結束バンド連結体５０を容易に供給でき、その結果、その先端にある面状結束バンド１０を前記した結束駆動機構の先端部に供給して載置できる。従って、結束作業者が被結束物２０の結束を繰り返す度に続いて結束作業ができるよう、結束駆動機構の先端部に面状結束バンド１０が供給されるのである。このようにして、結束装置６０に対して面状結束バンド連結体５０及びそれを構成している面状結束バンド１０を一つずつ確実に供給できるという効果を発揮する。
【００２７】
本考案は、その根本的技術思想を踏襲し考案の効果を著しく損なわない限度において、前記実施態様の一部を変更して実施できる。例えば、結束装置６０に装着される面状結束バンド連結体５０においては、多数個の面状結束バンド１０を横に連結した帯状形状にすることに考案の意味が存在するから、バンド状本体Ｂの両端部のそれぞれに係止突起と係止孔が対として存在させる必要がなく、一端部に係止突起が存在し他端部にそれが挿入される係止孔が存在する態様も採用できる。
【産業上の利用可能性】
【００２８】
本考案は、結束作業者が被結束物を結束バンドで結束する分野に広く利用できる。
【符号の説明】
【００２９】
１：結束バンド，２：被結束物，３：収束部，４：係止突起，５：係止孔，１０：面状結束バンド，１１：くびれ部、１２：突出片、１３：短筒部、１４；ドーム部、１５；リブ、１６：係止溝、１７：内縁部、１８：嵌合防止部、１９：滑り防止部、２０：被結束物、２１：収束部、３１：第一係止突起、３２：第二係止突起、４１：第一係止孔、４２：第二係止孔、５０：面状結束バンド連結体、５１：分離溝、５２：リール、６０：結束装置、６１：リールアーム、６２：基盤部、６３：結束部、６４ａ、６４ｂ：支持板、６５：滑動板、６６：案内隙間、Ｂ：バンド状本体，Ｂ１：一端部、Ｂ１１：第一折半部、Ｂ２：他端部、Ｂ２２：第二折半部、Ｂ３：中央部、Ｒ：ルート。
【図１】
0003197527.tif 000003
【図２】
0003197527.tif 000004
【図３】
0003197527.tif 000005
【図４】
0003197527.tif 000006
【図５】
0003197527.tif 000007
【図６】
0003197527.tif 000008
【図７】
0003197527.tif 000009
【図８】
0003197527.tif 000010
【図９】
0003197527.tif 000011
【図１０】
0003197527.tif 000012
【図１１】
0003197527.tif 000013
【図１２】
0003197527.tif 000014